(57)【特許請求の範囲】
【請求項１】
一対の基板と、当該一対の基板間に挟持される液晶とを有する液晶表示素子と、
前記液晶表示素子の表示面と反対の側に配置されるバックライトユニットとを具備し、
前記バックライトユニットは、複数枚の光学シートと、
周囲に側壁を有し、前記複数枚の光学シートが順次積層されて収納される収納部材とを備える液晶表示装置であって、
前記収納部材は、前記側壁に設けられ、前記側壁と同一方向に突出し、互いに前記側壁の異なる位置に設けられた複数個の収納部材側突起部を有し、
前記複数枚の光学シートの各々は、任意の一辺に設けられ、前記任意の一辺と直交する他の辺の延長方向と同一方向に突出するとともに、前記収納部材側突起部に挿入される凹部を有する光学シート側突起部を備え、
前記光学シート側突起部は、前記複数枚の光学シートのそれぞれの任意の一辺で、前記複数枚の光学シート毎にそれぞれ異なる位置に設けられ、
前記側壁のそれぞれ異なる位置に設けられた前記各収納部材側突起部は、前記複数枚の光学シートの中のそれぞれ異なる光学シートの前記光学シート側突起部の前記凹部に挿入されることを特徴とする液晶表示装置。
【請求項２】
前記複数枚の光学シートは、２枚の拡散シートと、
２枚のプリズムシートとで構成されることを特徴とする請求項１に記載の液晶表示装置。
【請求項３】
前記光学シート側突起部は、前記２枚の拡散シートおよび前記２枚のプリズムシートのそれぞれの任意の一辺で、前記２枚の拡散シートおよび前記２枚のプリズムシート毎にそれぞれ異なる位置に設けられ、
前記収納部材側突起部は、前記側壁の異なる位置に４個設けられ、
前記２枚の拡散シートおよび前記２枚のプリズムシートの前記光学シート側突起部の各凹部は、前記４個の収納部材側突起部の中の対応する一つに挿入されることを特徴とする請求項２に記載の液晶表示装置。
【請求項４】
最上位に位置する前記光学シート上で、前記各光学シート側突起部を覆う接着テープを備えることを特徴とする請求項１ないし請求項３のいずれか１項に記載の液晶表示装置。
【発明の詳細な説明】
【０００１】
【発明の属する技術分野】
本発明は、液晶表示装置に係わり、特に、複数枚の光学シートの位置ずれを防止するようにした液晶表示装置に関する。
【０００２】
【従来の技術】
ＳＴＮ（Super Twisted Nematic）方式、あるいはＴＦＴ（Thin Film Transister）の液晶表示モジュールは、ノート型パーソナルコンピュータ等の表示装置として広く使用されている。
これらの液晶表示モジュールは、周囲に駆動回路部が配置された液晶表示パネルと、当該液晶表示パネルを照射するバックライトユニットとで構成される。
このバックライトユニットは、モールド内に、例えば、光源から照射される光を、光源から離れた方へ導き、液晶表示パネル全体に光を均一に照射するための導光体と、導光体の側面近傍に、導光体の側面に沿って当該側面と平行に配置される線状光源である冷陰極蛍光灯と、導光体上に配置される光学シート（例えば、２枚の拡散シート、および、２枚のプリズムシート）と、導光体の下側に延長配置される反射シートとが収納されて構成される。
なお、このような技術は、例えば、特公昭６０−１９４７４号公報、実開平４−２２７８０号公報に記載されている。
【０００３】
【発明が解決しようとする課題】
図６は、従来のＴＦＴ方式の液晶表示モジュールの概略構成を示す分解斜視図である。
図６に示す液晶表示モジュールは、金属板から成る枠状のフレーム４、液晶表示パネル（本発明の液晶表示素子）５、バックライトユニットとから構成される。
図６に示すように、従来のバックライトユニットでは、４枚の光学シート（上および下拡散シート（６，８）、および上および下プリズムシート（７，１７））の短辺側に突起部（６ａ，７ａ，８ａ，１７ａ）が設けられ、かつ、モールド１４の側壁に凹部１４ａが設けられる。
そして、４枚の光学シート（６，７，８，１７）に設けた突起部（６ａ，７ａ，８ａ，１７ａ）を、モールド１４の側壁に設けた凹部１４ａに挿入することにより、４枚の光学シート（６，７，８，１７）の位置決めを行い、さらに、その上に遮光テープ（図示せず）を貼り付けることで、４枚の光学シート（６，７，８，１７）をモールド１４内に固定するようにしている。
【０００４】
しかしながら、従来の手法では、光学シートと遮光テープとの接着面積が小さいので、遮光テープが剥がれやすく、そのため、光学シートが縦方向にずれやすいという問題点があった。
本発明は、前記従来技術の問題点を解決するためになされたものであり、本発明の目的は、液晶表示装置において、バックライトユニット内に配置される複数枚の光学シートの位置ずれを防止することが可能となる技術を提供することにある。
本発明の前記ならびにその他の目的と新規な特徴は、本明細書の記述及び添付図面によって明らかにする。
【０００５】
【課題を解決するための手段】
本願において開示される発明のうち、代表的なものの概要を簡単に説明すれば、下記の通りである。
即ち、本発明は、一対の基板と、当該一対の基板間に狭持される液晶とを有する液晶表示素子と、前記液晶表示素子の表示面と反対の側に配置されるバックライトユニットとを具備し、前記バックライトユニットは、複数枚の光学シートと、周囲に側壁を有し、前記複数枚の光学シートが順次積層されて収納される収納部材とを備える液晶表示装置に適用される。
本発明では、前記収納部材は、前記側壁に設けられ、前記側壁と同一方向に突出する収納部材側突起部を有し、また、前記複数枚の光学シートの各々は、任意の一辺に設けられ、前記任意の一辺と直交する他の辺の延長方向と同一方向に突出するとともに、前記収納部材側突起部に挿入される凹部を有する光学シート側突起部を備えることを特徴とする。
本発明の好ましい実施の形態では、前記収納部材は、互いに前記側壁の異なる位置に設けられた複数個の前記収納部材側突起部を備えることを特徴とする。
本発明の好ましい実施の形態では、前記各収納部材側突起部は、それぞれ異なる前記光学シートの前記凹部に対応して挿入されていることを特徴とする。
本発明の好ましい実施の形態では、一の収納部材側突起部が、二以上の前記光学シートの前記凹部に対応して挿入されていることを特徴とする。
【０００６】
本発明の好ましい実施の形態では、前記複数枚の光学シートは、２枚の拡散シートと、２枚のプリズムシートとで構成されることを特徴とする。
本発明の好ましい実施の形態では、前記光学シート側突起部は、前記２枚の拡散シートおよび前記２枚のプリズムシートのそれぞれの任意の一辺で、前記２枚の拡散シートおよび前記２枚のプリズムシート毎にそれぞれ異なる位置に設けられ、前記収納部材側突起部は、前記側壁の異なる位置に４個設けられ、前記２枚の拡散シートおよび前記２枚のプリズムシートの前記光学シート側突起部の各凹部は、前記４個の収納部材側突起部の中の対応する一つに挿入されることを特徴とする。
本発明の好ましい実施の形態では、最上位に位置する前記光学シート上で、前記各光学シート側突起部を覆う接着テープを備えることを特徴とする。
【０００７】
前記手段によれば、バックライトユニット内に配置される、複数枚の光学シート（例えば、２枚の拡散シートおよび２枚のプリズムシート）は、その周囲に設けられた光学シート側突起部の凹部が、収納部材（モールドとも言う）の側壁に設けられた収納部材側突起部に挿入されて、位置決めされ、さらに、その上に、接着テープ（遮光テープともいう）が貼り付けられて固定される。
これにより、複数枚の光学シートの位置ずれを防止することが可能となる。
【０００８】
【発明の実施の形態】
以下、本発明をＴＦＴ方式の液晶表示モジュールに適用した実施の形態を図面を参照して詳細に説明する。
なお、実施の形態を説明するための全図において、同一機能を有するものは同一符号を付け、その繰り返しの説明は省略する。
［実施の形態１］
［本発明の実施の形態のＴＦＴ方式の液晶表示モジュールの概略構成］
図１は、本発明の実施の形態のＴＦＴ方式の液晶表示モジュールの概略構成を示す分解斜視図である。
本実施の形態の液晶表示モジュールも、金属板から成る枠状のフレーム４、液晶表示パネル（本発明の液晶表示素子）５、バックライトユニットとから構成される。
液晶表示パネル５は、画素電極、薄膜トランジスタ等が形成されるＴＦＴ基板と、対向電極、カラーフィルタ等が形成されるフィルタ基板とを、所定の間隙を隔てて重ね合わせ、該両基板間の周縁部近傍に枠状に設けたシール材により、両基板を貼り合わせると共に、シール材の一部に設けた液晶封入口から両基板間のシール材の内側に液晶を封入、封止し、さらに、両基板の外側に偏光板を貼り付けて構成される。
【０００９】
ここで、ＴＦＴ基板のガラス基板上には、半導体集積回路装置（ＩＣ）で構成される複数のドレインドライバおよびゲートドライバが搭載されている。
このドレインドライバには、フレキシブルプリント配線基板１を介して、駆動電源、表示データおよび制御信号が供給され、ゲートドライバには、フレキシブルプリント配線基板２を介して、駆動電源および制御信号が供給される。
これらフレキシブルプリント配線基板（１，２）は、バックライトユニットの後ろ側に設けられる駆動回路基板３に接続される。
本実施の形態のバックライトユニットは、冷陰極蛍光灯１６、楔形（側面形状が台形）の導光体９、上拡散シート６、上プリズムシート７、下プリズムシート１７、下拡散シート８、反射シート１０とが、図１に示す順序で、側壁１４０を有し、枠状に形成されたモールド１４に嵌め込まれて構成される。
なお、図１において、１１はゴムブッシュ、１２はコネクタ、１８，１９はケーブルである。
【００１０】
〈図１に示す液晶表示モジュールのバックライトユニットの構成〉
図２は、図１に示す液晶表示モジュールのバックライトユニットの要部断面構成を示す断面図である。
なお、この図２は、冷陰極蛍光灯１６と直交する面で切断した時の断面構成を示している。
図２に示すように、冷陰極蛍光灯１６は、導光体９の側面近傍で、かつ導光体９の側面に沿って当該導光体９の側面と平行に配置される。
導光体９は、冷陰極蛍光灯１６から照射される光を、冷陰極蛍光灯１６から離れた方へ導き、液晶表示パネル全体に光を均一に照射する。
ここで、導光体９は、冷陰極蛍光灯１６と対向する面が幅広に形成され、冷陰極蛍光灯１６から遠ざかる程断面が小さくなる楔形の形状に形成される。
導光体上には、上および下拡散シート（６，８）と、上および下プリズムシート（７，１７）が配置される。
冷陰極蛍光灯部分の断面形状がほぼコ字状で、その内面が白色または銀色の反射シート１０は、冷陰極蛍光灯１６をほぼ全長にわたって覆うとともに、導光体９の下まで延長して配置される。
これにより、導光体９と異なる方向に放射された光を無駄なく導光体９に集光させることができる。
【００１１】
図３は、本実施の形態のモールド１４を説明するための図であり、同図（ａ）は上平面図、同図（ｂ）は、同図（ａ）に示すＡ部を拡大して示す詳細図、同図（ｃ）は、同図（ｂ）に示すＤ−Ｄ’切断線に沿った断面構造を示す断面図である。
図１、図３に示すように、本実施の形態では、モールド１４の側壁１４０に、側壁１４０と同一方向に突出する第１ないし第４のフレーム側突起部（２４ａ，２４ｂ，２４ｃ，２４ｄ）が設けられる。
ここで、第１ないし第４のフレーム側突起部（２４ａ，２４ｂ，２４ｃ，２４ｄ）は、それぞれ位置を異ならせて、モールド１４の側壁１４０に設けられる。なお、図３（ａ）において、３０ａないし３０ｇは、モールド１４に形成された打ち抜き部である。
【００１２】
図４は、本実施の形態の上拡散シート６を説明するための図であり、同図（ａ）は上平面図、同図（ｂ）は同図（ａ）に示すＢ部を拡大して示す詳細図である。
図４に示すように、本実施の形態の上拡散シート６は、相対向する任意の２辺（図３では、短辺側の２辺）に、前記任意の２辺と直交する他の辺（図３では、長辺側の２辺）の延長方向と同一方向に突出する第１ないし第４の光学シート側突起部（６１〜６４）が設けられる。
ここで、第１の光学シート側突起部６１には、凹部（または、スリット）６１ａが設けられ、この凹部６１ａは、フレーム側突起部（２４ａ，２４ｂ，２４ｃ，２４ｄ）の中の対応する一つに挿入される。
下拡散シート８、上および下プリズムシート（７，１７）の各々も、上拡散シート６と同様、相対向する任意の２辺（例えば、短辺側の２辺）に、第１ないし第４の光学シート側突起部が設けられる。
そして、下拡散シート８、上および下プリズムシート（７，１７）の第１の光学シート側突起部には、凹部（または、スリット）が設けられる。
【００１３】
図１に示すように、上拡散シート６の第１の光学シート側突起部６１、上プリズムシート７の第１の光学シート側突起部７１、下プリズムシート１７の第１の光学シート側突起部１７１、および下拡散シート８の第１の光学シート側突起部８１の位置は、各光学シート毎に位置を異ならせて設けられる。
なお、図１では、各光学シート（６，７，８，１７）の第１ないし第３の光学シート側突起部のみを図示し、各光学シート（６，７，８，１７）の第４の光学シート側突起部の図示は省略している。
【００１４】
図５は、本実施の形態の液晶表示モジュールにおいて、各光学シート（６，７，８，１７）をモールド１４に収納した状態を説明するための図であり、同図（ａ）は上平面図、同図（ｂ）は同図（ａ）に示すＣ部を拡大して示す詳細図である。
図５に示すように、各光学シート（６，７，８，１７）は、第２および第３の光学シート側突起部が、モールド１４の側壁１４０に設けられた突起（または壁；図３（ａ）に示すａ，ｂ，ｃ）にはめ込まれ、また、第１の光学シート側突起部の凹部が、モールド１４の側壁１４０に設けられた第１〜第４のフレーム側突起部に挿入されて位置決めされる。
図５（ｂ）では、下拡散シート８の第１の光学シート側突起部８１の凹部８１ａは、第４のフレーム側突起部２４ｄに挿入され、同様に、下プリズムシート１７の第１の光学シート側突起部１７１の凹部１７１ａは、第３のフレーム側突起部２４ｃに挿入され、上プリズムシート７の第１の光学シート側突起部７１の凹部７１ａは、第２のフレーム側突起部２４ｂに挿入され、上拡散シート６の第１の光学シート側突起部６１の凹部６１ａは、第１のフレーム側突起部２４ａに挿入される。
【００１５】
さらに、図５（ｂ）の点線枠の部分に遮光テープ（図示せず）が貼り付けられて、各光学シート（６，７，８，１７）は、モールド１４の側壁１４０に固定される。
この場合に、遮光テープの幅（図５に示すＬｂ）が４ｍｍでも、遮光テープの長さ（図５に示すＬｃ）を１０ｍｍ以上にできるので、遮光テープと各光学シート（６，７，８，１７）との間の接着面積を従来よりも大きくすることができる。
従来の液晶表示モジュールでは、この遮光テープの大きさが、４ｍｍ×５ｍｍであり、遮光テープと各光学シート（６，７，８，１７）との間の接着面積が小さく、遮光テープが剥がれやすいという問題点があったが、本実施の形態では、遮光テープと各光学シート（６，７，８，１７）との間の接着面積を従来よりも大きくすることができるので、遮光テープが剥がれ難くなる。
また、図５（ａ）に示す第４の光学シート側突起部の上にも、遮光テープが貼り付けられる。
さらに、本実施の形態では、各光学シート（６，７，８，１７）の図３に示す横方向の片側（第４の光学シート側突起部が設けられる側）が、モールド１４の側壁１４０に接触しない構造となっているので、各光学シート（６，７，８，１７）にシートうねりが起きにくい構造となっている。
【００１６】
このように、本実施の形態によれば、各光学シート（６，７，８，１７）の任意の一辺に、互いに位置を異ならせて、光学シート側突起部（６１，７１，８１，１７１）を設け、この光学シート側突起部（６１，７１，８１，１７１）に設けられた凹部（６１ａ，７１ａ，８１ａ，１７１ａ）を、モールド１４の側壁の互いに異なる位置に設けられた第１ないし第４のフレーム側突起部（２４ａ，２４ｂ，２４ｃ，２４ｄ）の対応するフレーム側突起部に挿入し、さらに、図５（ｂ）の点線枠の部分に遮光テープ（図示せず）を貼り付けて、各光学シート（６，７，８，１７）が、モールド１４の側壁１４０に固定される。
そして、第１ないし第４のフレーム側突起部（２４ａ，２４ｂ，２４ｃ，２４ｄ）の奥行き方向の長さ（図３に示すＬａ）を、３．５ｍｍ以上とすることができるので、光学シート（６，７，８，１７）が縦方向にずれるのを防止することが可能となる。
さらに、遮光テープと各光学シート（６，７，８，１７）との間の接着面積を従来よりも大きくすることができるので、遮光テープが剥がれ難くなる。
【００１７】
これにより、本実施の形態では、各光学シート（６，７，８，１７）の位置ずれを防止することが可能となり、バックライトユニットの組み立て作業が容易ととなるので、液晶表示モジュールのコストを低減することが可能となる。
なお、本実施の形態において、図３（ａ）に示す第１の光学シート側突起部は、例えば、各光学シート（６，７，８，１７）の２つ光学シート毎に同じ位置に設けるように、各光学シート（６，７，８，１７）の１つ以上の光学シート毎に同じ位置に設け、この第１の光学シート側突起部に設けられる凹部を、一つのフレーム側突起部に挿入するようにしても、従来より、各光学シート（６，７，８，１７）の位置ずれを防止することができる。
さらに、図３（ａ）に示す第１の光学シート側突起部を各光学シート（６，７，８，１７）毎に同じ位置に設け、この第１の光学シート側突起部に設けられる凹部を、一つのフレーム側突起部に挿入するようにしてもよい。
また、本実施の形態において、図３（ａ）に示す第４の光学シート側突起部も、各光学シート（６，７，８，１７）毎に、互いに位置を異ならせて設けるようにしてもよい。
【００１８】
なお、例えば、特開平９−１４７６１８号公報には、複数枚の光学シートに、孔が形成された突起部（例えば、本実施の形態の第１の光学シート側突起部に相当）を設け、かつ、フレームに突起部を設けて、前述した孔をフレームに形成された突起部に挿入して、複数枚の光学シートをフレームに固定するようにした液晶表示モジュールが開示されている。
しかしながら、前述した公報に開示されているものでは、各光学シートを、例えば、射出成形で形成した後、孔を開ける必要があり、各光学シートの製造工程が増加し、各光学シートのコストが上昇するという欠点がある。
これに対して、本発明では、各光学シートの第１の光学シート側突起部に凹部（または、スリット）を設けるだけであるので、各光学シートを、例えば、射出成形で形成することができ、各光学シートの製造工程が増加することもなく、各光学シートのコストが上昇することもない。
【００１９】
また、前記各実施の形態では、本発明を縦電界方式の液晶表示パネルに適用した場合について説明したが、これに限定されるものではなく、横電界方式の液晶表示パネルにも適用可能である。
また、前記各実施の形態では、本発明をＴＦＴ方式の液晶表示装置に適用した場合について説明したが、これに限定されるものではなく、本発明は、ＳＴＮ方式の単純マトリクス形液晶表示装置にも適用可能であることは言うまでもない。以上、本発明者によってなされた発明を、前記発明の実施の形態に基づき具体的に説明したが、本発明は、前記発明の実施の形態に限定されるものではなく、その要旨を逸脱しない範囲において種々変更可能であることは勿論である。
【００２０】
【発明の効果】
本願において開示される発明のうち代表的なものによって得られる効果を簡単に説明すれば、下記のとおりである。
本発明の液晶表示装置によれば、バックライトユニット内に配置される複数枚の光学シートの位置ずれを防止することが可能となる。
【図面の簡単な説明】
【図１】本発明の実施の形態のＴＦＴ方式の液晶表示モジュールの概略構成を示す分解斜視図である。
【図２】図１に示す液晶表示モジュールのバックライトユニットの要部断面構成を示す断面図である。
【図３】本発明の実施の形態のモールドを説明するための図である。
【図４】本発明の実施の形態の上拡散シートを説明するための図である。
【図５】本発明の実施の形態の液晶表示モジュールにおいて、各光学シートをモールドに収納した状態を説明するための図である。
【図６】従来のＴＦＴ方式の液晶表示モジュールの概略構成を示す分解斜視図である。
【符号の説明】
１，２…フレキシブルプリント配線基板、３…駆動回路基板、４…フレーム、５…液晶表示パネル、６，８…拡散シート、６ａ，７ａ，８ａ，１７ａ…突起部、７，１７…プリズムシート、９…導光体、１０…反射シート、１１…ゴムブッシュ、１２…コネクタ、１４…モールド、１４ａ…凹部、１６…冷陰極蛍光灯、１８，１９…ケーブル、２４ａ〜２４ｄ…フレーム側突起部、３０ａ〜３０ｇ…打ち抜き部、６１〜６４，７１〜７３，８１〜６３，１７１〜１７３…光学シート側突起部、６１ａ，７１ａ，８１ａ，１７１ａ…凹部（または、スリット）、１４０…側壁。
【図１】
0003842561.tif 000002
【図２】
0003842561.tif 000003
【図３】
0003842561.tif 000004
【図４】
0003842561.tif 000005
【図５】
0003842561.tif 000006
【図６】
0003842561.tif 000007